(57)【要約】      （修正有）【課題】複数の文具を別々に配置して夫々収納できる手帳を提供する。【解決手段】外形を形成するシート形状の表面部１２と、シート形状であって表面部に重ねて配置される内面部１１と、内面部に配置される複数の収納部１３とを有し、表面部は、略長方形の第１表面部１２Ａ、略長方形の第２表面部１２Ｂ及び第１表面部と第２表面部とを接続する屈曲表面部１２Ｃを備える。内面部は、第１表面部の裏面に配置される第１内面部１１Ａ、第２表面部の裏面に配置される第２内面部１１Ｂ及び第１内面部と第２内面部とを接続する屈曲内面部１１Ｃを備え、複数の収納部は、第１内面部及び第２内面部に夫々配置され、屈曲表面部及び屈曲内面部は、第１表面部と第２表面部とが折り畳まれたときに、第１内面部と第２内面部とが相互に対向するように屈曲する。【選択図】図１
0003198011.tif 000002
【実用新案登録請求の範囲】
【請求項１】
複数の文具を収納可能な手帳であって、
外形を形成するシート形状の表面部と、
シート形状であって前記表面部に重ねて配置される内面部と、
前記内面部に配置される複数の収納部と
を有し、
前記表面部は、略長方形の第１表面部、略長方形の第２表面部及び前記第１表面部と前記第２表面部とを接続する屈曲表面部を備え、
前記内面部は、前記第１表面部の裏面に配置される第１内面部、前記第２表面部の裏面に配置される第２内面部及び前記第１内面部と前記第２内面部とを接続する屈曲内面部を備え、
複数の前記収納部は、前記第１内面部及び前記第２内面部に夫々配置され、
前記屈曲表面部及び前記屈曲内面部は、前記第１表面部と前記第２表面部とが折り畳まれたときに、前記第１内面部と前記第２内面部とが相互に対向するように屈曲する、
ことを特徴とする手帳。
【請求項２】
複数の前記収納部の少なくとも１つは、手帳型付箋又は名刺型付箋を収納する、ことを特徴とする請求項１に記載の手帳。
【請求項３】
前記表面部は、前記第２表面部と接続する第３表面部を更に備え、
前記内面部は、前記第３表面部の裏面に配置される第３内面部を更に備え、
前記第３表面部は、前記第１表面部と前記第２表面部とが折り畳まれたときに重畳して折り畳まれ、前記第１表面部と前記第３内面部とが相互に対向するように配置される、
ことを特徴とする、請求項１又は請求項２に記載の手帳。
【考案の詳細な説明】
【技術分野】
【０００１】
本考案は、複数の文具を収納可能な手帳に関する。本考案は、複数の文具を収納可能な手帳カバー、文具収納用アルバム、文具収納用ファイル、文具収納ポケット付きノート、ノート用カバー又はノートホルダーに関するものであってもよい。
【背景技術】
【０００２】
現在、日常生活やビジネス社会において、手帳を携帯する機会が多くなりつつある。手帳は、重要な事項からメモ程度の事項まで、様々な内容を手軽に記載することができる。特許文献１では、外カバーと内カバーにより構成され、外カバーの内側に装着するゴムマグネット枠と鉄芯入り内カバーとで開閉できる手帳カバーに関する技術を開示している。
【先行技術文献】
【特許文献】
【０００３】
【特許文献１】特開２００３−２１１８６８号公報
【考案の概要】
【考案が解決しようとする課題】
【０００４】
しかしながら、特許文献１に開示されている技術では、複数の文具を別々に配置して夫々収納できない場合がある。また、特許文献１には、付箋を収納し、必要なときに必要なだけ付箋を取り出せる技術に関する記載がない。
【０００５】
本考案は、複数の文具を別々に配置して夫々収納できる手帳を提供することを目的とする。また、本考案は、複数の文具を別々に配置して夫々収納できる手帳カバー、文具収納用アルバム、文具収納用ファイル、文具収納ポケット付きノート、ノート用カバー又はノートホルダーであってもよい。更に、本考案は、付箋を収納し、必要なときに必要なだけ付箋を取り出せる手帳、手帳カバー、文具収納用アルバム、文具収納用ファイル、文具収納ポケット付きノート、ノート用カバー又はノートホルダーであってもよい。
【課題を解決するための手段】
【０００６】
上記課題を解決するために、本考案の一つの実施形態は、複数の文具を収納可能な手帳であって、外形を形成するシート形状の表面部と、シート形状であって前記表面部に重ねて配置される内面部と、前記内面部に配置される複数の収納部とを有し、前記表面部は、略長方形の第１表面部、略長方形の第２表面部及び前記第１表面部と前記第２表面部とを接続する屈曲表面部を備え、前記内面部は、前記第１表面部の裏面に配置される第１内面部、前記第２表面部の裏面に配置される第２内面部及び前記第１内面部と前記第２内面部とを接続する屈曲内面部を備え、複数の前記収納部は、前記第１内面部及び前記第２内面部に夫々配置され、前記屈曲表面部及び前記屈曲内面部は、前記第１表面部と前記第２表面部とが折り畳まれたときに、前記第１内面部と前記第２内面部とが相互に対向するように屈曲する、ことを特徴とする手帳を提供する。
【０００７】
本考案の他の実施形態は、上記の手帳であって、複数の前記収納部の少なくとも１つは、手帳型付箋又は名刺型付箋を収納する、ことを特徴とする手帳であってもよい。
【０００８】
本考案の他の実施形態は、上記のいずれか１つの手帳であって、前記表面部は、前記第２表面部と接続する第３表面部を更に備え、前記内面部は、前記第３表面部の裏面に配置される第３内面部を更に備え、前記第３表面部は、前記第１表面部と前記第２表面部とが折り畳まれたときに重畳して折り畳まれ、前記第１表面部と前記第３内面部とが相互に対向するように配置される、ことを特徴とする手帳であってもよい。
【考案の効果】
【０００９】
本考案に係る手帳によれば、複数の文具を別々に配置して夫々収納できる。また、本考案に係る手帳によれば、付箋を収納し、必要なときに必要なだけ付箋を取り出すことができる。
【図面の簡単な説明】
【００１０】
【図１】本考案の実施形態に係る手帳の一例を説明する平面図である。
【図２】本考案の実施形態に係る手帳の使用時の一例を示す平面図である。
【図３】手帳型付箋の一例を示す斜視図である。
【図４】本考案の実施形態に係る手帳の他の例を説明する平面図である。
【図５】本考案の実施形態に係る手帳の他の例の使用時の一例を示す平面図である。
【図６】本考案の実施例に係る手帳カバーの例を示す説明図である。
【考案を実施するための形態】
【００１１】
実施形態および実施例に係る手帳の例を用いて、本考案を説明する。なお、本考案は、以後に説明する手帳以外でも、複数の文具（紙、ノート、カード、付箋、メモ帳、定規、ペン、鉛筆、筆など）を別々に配置して夫々収納できるもの（手帳カバー、文具収納用アルバム、文具収納用ファイル、文具収納ポケット付きノート、ノート用カバー又はノートホルダーなど）であれば、いずれのものにも用いることができる。なお、手帳の素材、色、形状は、特に限定されない。手帳の色は、透明、半透明、色付きのものであってもよい。手帳の色は、例えば使用者（消費者）の趣味趣向に合わせた柄のものであってもよい。
【００１２】
以後に、本考案を説明する。
【００１３】
図１乃至図５を用いて、本考案の実施形態に係る手帳の構成を説明する。ここで、図１は、本考案の第１の実施形態に係る手帳１００Ａの一例を説明する平面図である。図２は、本考案の第１の実施形態に係る手帳１００Ａの使用時の一例を示す平面図である。図３は、手帳型付箋の一例を示す斜視図である。図４は、本考案の第２の実施形態に係る手帳１００Ｂの一例を説明する平面図である。図５は、本考案の第２の実施形態に係る手帳１００Ｂの一例の使用時の例を示す平面図である。なお、図１等に示す手帳の構成等は一例であり、本考案は図１等に示す手帳等に限定されるものではない。
【００１４】
（第１の実施形態）
図１及び図２を用いて、本考案の第１の実施形態に係る手帳を説明する。なお、図１及び図２に示す手帳は一例であり、本考案は図１及び図２に示す手帳に限定されるものではない。
【００１５】
図１に示すように、本考案に係る手帳１００Ａは、手帳の外形を形成するシート形状の表面部１２と、シート形状であって表面部１２に重ねて配置される内面部１１と、内面部１１に配置される複数の収納部１３とを有する。本考案に係る手帳１００Ａは、複数の収納部１３を用いて、複数の文具を収納する。下記にて、各構成を具体的に説明する。
【００１６】
表面部１２は、図１に示すように、本実施形態では、略長方形の第１表面部１２Ａ、略長方形の第２表面部１２Ｂ及び第１表面部と第２表面部とを接続する屈曲表面部１２Ｃを備える。屈曲表面部１２Ｃは、第１表面部１２Ａと第２表面部１２Ｂとが折畳み線Ｒ１（図２）で折り畳まれたときに、後述する第１内面部１１Ａと第２内面部１１Ｂとが相互に対向するように屈曲する。
【００１７】
なお、本考案に係る表面部１２（第１表面部１２Ａ、第２表面部１２Ｂ及び屈曲表面部１２Ｃ）の形状は、特に限定されない。本考案に係る表面部１２（第１表面部１２Ａ、第２表面部１２Ｂ及び屈曲表面部１２Ｃ）の形状は、設計、実験、計算などで予め定められる形状とすることができる。また、本考案に係る表面部１２（第１表面部１２Ａ、第２表面部１２Ｂ及び屈曲表面部１２Ｃ）の形状は、角が丸まったもの又は尖ったものであってもよい。また、表面部１２（第１表面部１２Ａ、第２表面部１２Ｂ及び屈曲表面部１２Ｃ）の材質は、特に限定されない。表面部１２（第１表面部１２Ａ、第２表面部１２Ｂ及び屈曲表面部１２Ｃ）の材質は、紙、シリコン、塩化ビニル、合成樹脂又はエンジニアリングプラスチックなどを用いることができる。
【００１８】
内面部１１は、図１に示すように、本実施形態では、略長方形の第１内面部１１Ａ、略長方形の第２内面部１１Ｂ及び第１内面部と第２内面部とを接続する屈曲内面部１１Ｃを備える。屈曲内面部１１Ｃは、第１内面部１１Ａと第２内面部１１Ｂとが折畳み線Ｒ１（図２）で折り畳まれたときに、第１内面部１１Ａと第２内面部１１Ｂとが相互に対向するように屈曲する。
【００１９】
なお、本考案に係る内面部１１（第１内面部１１Ａ、第２内面部１１Ｂ及び屈曲内面部１１Ｃ）の形状は、特に限定されない。本考案に係る内面部１１（第１内面部１１Ａ、第２内面部１１Ｂ及び屈曲内面部１１Ｃ）の形状は、設計、実験、計算などで予め定められる形状とすることができる。また、本考案に係る内面部１１（第１内面部１１Ａ、第２内面部１１Ｂ及び屈曲内面部１１Ｃ）の形状は、角が丸まったもの又は尖ったものであってもよい。また、内面部１１（第１内面部１１Ａ、第２内面部１１Ｂ及び屈曲内面部１１Ｃ）の材質は、特に限定されない。内面部１１（第１内面部１１Ａ、第２内面部１１Ｂ及び屈曲内面部１１Ｃ）の材質は、紙、シリコン、塩化ビニル、合成樹脂又はエンジニアリングプラスチックなどを用いることができる。更に、表面部１２（第１表面部１２Ａ、第２表面部１２Ｂ及び屈曲表面部１２Ｃ）と内面部１１（第１内面部１１Ａ、第２内面部１１Ｂ及び屈曲内面部１１Ｃ）との形状、色、柄及び／又は材質は、異なるものであってもよい。
【００２０】
複数の収納部１３（第１収納部１３Ａ、第２収納部１３Ｂ、第３収納部１３Ｃ、第４収納部１３Ｄ、第５収納部１３Ｅ、第６収納部１３Ｆ、第７収納部１３Ｇ）は、図１に示すように、本実施形態では、第１内面部１１Ａ及び第２内面部１１Ｂに夫々配置される。これにより、使用者は、所望の位置に所望の文具を配置することができる。第１収納部１３Ａは、例えば複数のカード又は名刺を挿入して保持することができる。第２収納部１３Ｂ、第３収納部１３Ｃ及び第４収納部１３Ｄは、例えばメモ帳又は比較的大きな紙媒体を挿入して保持することができる。第５収納部１３Ｅ及び第６収納部１３Ｆは、例えば名刺又は名刺型付箋を挿入して保持することができる。第７収納部１３Ｇは、例えばペンを挿入して保持することができる。
【００２１】
図２に示すように、本考案に係る手帳１００Ａは、カード２０２を収納（保持）することができる。また、本考案に係る手帳１００Ａは、紙媒体２０３を収納（保持）することができる。
【００２２】
本考案に係る手帳１００Ａは、図２に示すように、名刺型付箋２０１を収納（保持）することができる。ここで、図３に、名刺型付箋２０１の一例を示す。名刺型付箋２０１は、表面部材２０１Ａと付箋部材２０１Ｂとを備える。名刺型付箋２０１は、その中央で２つ折りにすることができる。本考案に係る手帳１００Ａは、２つ折りした名刺型付箋２０１の表面部材２０１Ａを第６収納部１３Ｆに挿入して、名刺型付箋２０１を収納する。これにより、本考案に係る手帳１００Ａによれば、収納部１３（第６収納部１３Ｆ）を用いて、付箋を保持し、付箋を保持した状態で必要なときに必要なだけ付箋を取り出すことができる。
【００２３】
以上のとおり、本考案に係る手帳によれば、複数の文具を別々に配置して夫々収納できる。また、本考案に係る手帳によれば、付箋を収納し、必要なときに必要なだけ付箋を取り出すことができる。更に、本考案に係る手帳によれば、コンパクトで持ち運びすることができ、複数の文具を容易に利用することができる。
【００２４】
（第２の実施形態）
図４及び図５を用いて、本考案の第２の実施形態に係る手帳１００Ｂを説明する。なお、図４及び図５に示す手帳は一例であり、本考案は図４及び図５に示す手帳に限定されるものではない。第２の実施形態に係る手帳１００Ｂは第１の実施形態に係る手帳１００Ａと同様の構成を含むため、以後の説明では異なる部分を主に説明する。
【００２５】
図４に示すように、本考案の第２の実施形態に係る手帳１００Ｂは、第２表面部と接続する第３表面部１２Ｄ、第３表面部１２Ｄの裏面に配置される第３内面部１１Ｄ、並びに、第８収納部１３Ｈ及び第９収納部１３Ｉを更に備える。手帳１００Ｂは、第１表面部１２Ａと第２表面部１２Ｂとが折畳み線Ｒ２（図５）で折り畳まれたときに、第３表面部１２Ｄを重畳して折畳み線Ｒ３（図５）で折り畳む。このとき、手帳１００Ｂは、第１表面部１２Ａと第３内面部１１Ｄとが相互に対向するように配置される。これにより、本考案の第２の実施形態に係る手帳１００Ｂは、複数の文具を更にコンパクトに収納することができる。
【００２６】
図４に示すように、本考案の第２の実施形態に係る手帳１００Ｂは、例えば第９収納部１３Ｉにカードを更に収納することができる。
【００２７】
以上のとおり、本考案の第２の実施形態に係る手帳１００Ｂによれば、第１の実施形態に係る手帳１００Ａ（図１）と同様の効果を得ることができる。
【実施例】
【００２８】
図６を用いて、本考案の実施例に係る手帳カバー１００Ｃを説明する。なお、図６に示す手帳カバーは一例であり、本考案は図６に示す手帳カバーに限定されるものではない。また、実施例に係る手帳カバー１００Ｃは第１の実施形態に係る手帳１００Ａと同様の構成を含むため、以後の説明では異なる部分を主に説明する。
【００２９】
図６（ａ）及び図６（ｂ）に示すように、本実施例に係る手帳カバー１００Ｃは、手帳の表表紙及び裏表紙を収納部に挿入して、手帳を保持する。これにより、本考案に係る手帳カバー１００Ｃによれば、手帳を保護することができる。また、本実施例に係る手帳カバー１００Ｃによれば、手帳を収納部に挿入して保持することができるので、お気に入りの手帳の表紙としても使うことができる。
【００３０】
以上のとおり、本考案の実施例に係る手帳カバー１００Ｃによれば、第１の実施形態に係る手帳１００Ａ（図１）と同様の効果を得ることができる。
【００３１】
以上のとおり、本考案に係る実施形態及び実施例について説明したが、本考案は上記の実施形態及び実施例に限定されるものではない。すなわち、本考案は、実用新案登録請求の範囲に記載の内容に基づいて、様々に変形、変更又はその他任意に改変され得る。
【符号の説明】
【００３２】
１００Ａ，１００Ｂ，１００Ｃ  ：  手帳（手帳カバー，文具収納用アルバム，文具収納用ファイル，文具収納ポケット付きノート，ノート用カバー，ノートホルダーなど）
１１  ：  内面部
１１Ａ：  第１内面部（内面部）
１１Ｂ：  第２内面部（内面部）
１１Ｃ：  屈曲内面部（内面部）
１１Ｄ：  第３内面部（内面部）
１２  ：  表面部
１２Ａ：  第１表面部（表面部）
１２Ｂ：  第２表面部（表面部）
１２Ｃ：  屈曲表面部（表面部）
１２Ｄ：  第３表面部（表面部）
１３  ：  収納部
１３Ａ：  第１収納部（収納部）
１３Ｂ：  第２収納部（収納部）
１３Ｃ：  第３収納部（収納部）
１３Ｄ：  第４収納部（収納部）
１３Ｅ：  第５収納部（収納部）
１３Ｆ：  第６収納部（収納部）
１３Ｇ：  第７収納部（収納部）
１３Ｈ：  第８収納部（収納部）
１３Ｉ：  第９収納部（収納部）
２０１  ：  手帳型付箋
２０１Ａ：  手帳型付箋の表面部材
２０１Ｂ：  手帳型付箋の付箋部材
２０２  ：  カード
２０３  ：  文具
Ｒ１，Ｒ２，Ｒ３：  折畳み線
【図１】
0003198011.tif 000003
【図２】
0003198011.tif 000004
【図３】
0003198011.tif 000005
【図４】
0003198011.tif 000006
【図５】
0003198011.tif 000007
【図６】
0003198011.tif 000008